(57)【特許請求の範囲】
【請求項１】
ケースと、このケースに回転可能に収納された糸巻と、この糸巻に巻装されケース外部への引き出しが可能であって先端に糸止着具が繋着された糸と、前記糸巻からの糸の引き出し・巻き戻し経路に充填された墨汁吸収体とを備え、墨汁が充填され、前記糸巻に巻装された糸に、加圧によって前記墨汁を供給可能なカセットボトルが、前記ケースに着脱可能に取り付けられ、このカセットボトルは、取付状態において吐出ノズルが前記糸巻の外周面と対向することを特徴とする墨壷。
【請求項２】
カセットボトルに可撓性を有する膨出部が形成され、カセットボトルの加圧が、この膨出部において行われることを特徴とする請求項１に記載の墨壷。
【請求項３】
カセットボトルが加圧により墨汁を吐出するポンプ手段を有することを特徴とする請求項１又は２に記載の墨壷。
【発明の詳細な説明】
【技術分野】
【０００１】
本発明は、木工あるいは建築において、墨汁を付着させた糸を張設して線引きを行う墨壷に関する。
【背景技術】
【０００２】
木工や建築における線引き作業で使用される墨壷の一種として、従来から、例えば下記の特許文献１に開示された構造のものが知られている。
【０００３】
この墨壷は、ケース内の糸巻に巻かれた糸が、墨汁を沁み込ませた墨汁浸透部材が充填された墨室内を通って、ケースの一端に形成された糸繰り出し口から外部へ繰り出され、糸の先端に、この糸を線引き起点に止着するための糸止着具（かるこ）が繋着された構造を備える。糸巻には、これを糸の巻き取り方向へ回転させるための巻き取りばねが内蔵され、また、ケースには、墨汁タンクと、この墨汁タンクから墨汁浸透部材へ墨汁を補給するための手動ポンプが設けられている。
【０００４】
この墨壷による線引き作業においては、まず、かるこを相手材の線引き起点に止着してから、ケースを移動させることによって糸を引き出すと、引き出される糸には、墨汁浸透部材との接触によって墨汁が付着するので、この糸に適当なテンションを与えた状態で、線引き対象面に向けて手指ではじくことによって、直線状の墨線を転写することができる。また、墨汁浸透部材に沁み込ませた墨汁の量が少なくなったら、手動ポンプの操作によって、墨汁タンク内の墨汁を墨汁浸透部材へ補給する。
【０００５】
ところが、上記従来構造の墨壷によれば、墨汁タンクへ墨汁を補充する際に、その補充口から墨汁が溢れて、ケースの外部などが墨汁で汚れてしまうおそれがあり、この場合、汚してしまった部分の掃除や、ケースを洗う作業を余儀なくされていた。
【０００６】
また、糸の引き出し過程で墨汁を十分かつ均一に付着させるには、墨汁浸透部材に、含有可能量いっぱいに墨汁を補給する必要があるが、この場合、墨汁の補給当初は、糸への墨汁の付着量が多すぎて、必要以上に太い線引き線が転写されてしまい、墨汁の消費量が無駄に多くなってしまう問題がある。また、何度か線引き作業を繰り返すことによって、墨汁浸透部材の墨汁含有量が少なくなって来ると、糸への墨汁付着量が減少かつ不均一となるので、線引き線が薄くなるばかりでなく、線が斑になってしまいやすい。
【０００７】
更に、上記従来構造の墨壷によれば、新品における最初の使用時には、糸に十分な量の墨汁を付着させるために、糸の引き出し及び巻き戻しを何度か繰り返す必要があり、その作業が面倒であった。
【先行技術文献】
【特許文献】
【０００８】
【特許文献１】実開平７−１１２８４号公報
【発明の概要】
【発明が解決しようとする課題】
【０００９】
本発明は、以上のような点に鑑みてなされたものであって、その技術的課題とするところは、墨汁の補充が容易で、しかも糸に任意の量の墨汁を均一に付着させることのできる墨壷を提供することにある。
【課題を解決するための手段】
【００１０】
上述した技術的課題を有効に解決するための手段として、請求項１の発明に係る墨壷は、ケースと、このケースに回転可能に収納された糸巻と、この糸巻に巻装されケース外部への引き出しが可能であって先端に糸止着具が繋着された糸と、前記糸巻からの糸の引き出し・巻き戻し経路に充填された墨汁吸収体とを備え、墨汁が充填され、前記糸巻に巻装された糸に、加圧によって前記墨汁を供給可能なカセットボトルが、前記ケースに着脱可能に取り付けられ、このカセットボトルは、取付状態において吐出ノズルが前記糸巻の外周面と対向するものである。
【００１１】
なお、本書でいう「墨汁」とは、本来の墨汁に限らず、インクや塗料など、着色された液体をさすものである。
【００１２】
上記構成によれば、ケースに着脱可能に取り付けられたカセットボトルを手指で加圧することによって、このカセットボトル内の墨汁を、糸巻に巻装された糸に直接供給し、糸巻からの糸の引き出し過程で、この糸が墨汁吸収体に摺接することによって、墨汁の付着量が均される。そして、カセットボトルが空になったら、これをケースから取り外して、墨汁を補充してから再びカセットボトルを装填するか、又は別売の新たな墨汁入りカセットボトルと交換すれば良い。
【００１３】
請求項２の発明に係る墨壷は、請求項１に記載の構成において、カセットボトルに可撓性を有する膨出部が形成され、カセットボトルの加圧が、この膨出部において行われるものである。
【００１４】
この場合は、カセットボトルの加圧が膨出部のみで行われるので、糸巻に巻装された糸への墨汁の供給量を容易に調整することができる。
【００１５】
請求項３の発明に係る墨壷は、請求項１又は２に記載の構成において、カセットボトルが加圧により墨汁を吐出するポンプ手段を有するものである。この場合は、ポンプ手段により、カセットボトルの加圧量が制限されるので、糸巻に巻装された糸への墨汁の供給量の調整が一層容易である。
【発明の効果】
【００１６】
請求項１の発明に係る墨壷によれば、糸巻に巻装された糸にその外周側から墨汁を直接供給して、糸巻からの糸の引き出し過程で墨汁吸収体により墨汁の付着量を均すので、濃淡が均一で鮮明な線引き線を転写することができ、しかも墨汁の補充を、カセットボトルの交換によって容易迅速に行うことができると共に、墨汁タンクへ墨汁を補充する際に、ケース外部などを墨汁で汚損してしまうといった不具合を防止することができる。
【００１７】
請求項２の発明に係る墨壷によれば、カセットボトルの加圧量、言い換えれば墨汁の１回当たりの供給量が制限されるので、線引きの濃度や墨汁の消費量を任意に調整することができる。
【００１８】
請求項３の発明に係る墨壷によれば、糸巻に巻装された糸への墨汁の供給が、加圧により墨汁を吐出するポンプ手段により行われるため、糸への墨汁の供給が不要なときに過ってカセットボトルを押して不用意に墨汁を供給してしまったり、振動などによってカセットボトル内の墨汁が滴下してしまうのを防止することができると共に、ポンプ手段によって、墨汁の１回当たりの供給量が制限されるので、線引きの濃度や墨汁の消費量を任意に調整することができる。
【図面の簡単な説明】
【００１９】
【図１】本発明に係る墨壷の好ましい実施の形態を示す斜視図である。
【図２】本発明に係る墨壷の好ましい実施の形態を示す正面図である。
【図３】本発明に係る墨壷の好ましい実施の形態を示す側面図である。
【図４】本発明に係る墨壷の好ましい実施の形態を示す背面図である。
【図５】図２におけるＶ−Ｖ断面図である。
【図６】本発明に係る墨壷の好ましい実施の形態を、ケースのカバーを開いた状態を示す斜視図である。
【図７】ばね芯と糸巻ホルダによるラチェット構造を示す断面図である。
【図８】カセットボトルを示す斜視図である。
【図９】本発明に係る墨壷の使用状態の一例を示す斜視図である。
【図１０】本発明に係る墨壷の好ましい他の形態を示す要部断面図である。
【図１１】本発明に係る墨壷の好ましい他の形態を示す要部斜視図である。
【発明を実施するための形態】
【００２０】
以下、本発明に係る墨壷の好ましい実施の形態について、図面を参照しながら説明する。図１は本発明に係る墨壷の斜視図、図２は正面図、図３は側面図、図４は背面図、図５は図２におけるＶ−Ｖ断面図、図６はカバーを開いた状態を示す斜視図、図７はばね芯と糸巻ホルダによるラチェット構造を示す断面図、図８はカセットボトルを示す斜視図、図９は本発明に係る墨壷の使用状態の一例を示す斜視図である。
【００２１】
図５及び図６に示されるように、本発明に係る墨壷は、ケース１と、このケース１内に回転可能に収納された糸巻２と、この糸巻２に巻装されケース１外部への引き出しが可能であって先端にかるこ７が繋着された糸３と、ばねチャージ部４と、糸巻２からの糸３の引き出し・巻き戻し経路に充填された墨汁吸収体５と、ケース１内に着脱可能に取り付けられ墨汁が充填されたカセットボトル６とを備える。なお、かるこ７は、請求項１に記載された糸止着具に相当する。
【００２２】
ケース１は、図１、図２及び図３に示されるように、正面形状が略長方形状を呈するケース本体１１と、その一方の短辺側にヒンジ１ａを介して取り付けられたカバー１２と、ケース本体１１におけるヒンジ１ａ側の端部に一方の長辺側に偏在して突設された円筒状の糸繰り出し口１３と、ケース本体１１におけるヒンジ１ａと反対側の端部に第二のヒンジ１ｂを介して取り付けられた止め具１４とを有する。すなわち、このケース１は、カバー１２によって開閉可能であり、図１に示されるように、全体として、携帯電話器のような外観を呈する。
【００２３】
ケース本体１１には、図６に示されるように、糸巻収納部１１ａと、糸巻２と糸繰り出し口１３との間の糸３の引き出し・巻き戻し経路である墨汁吸収体収納部１１ｂと、カセット装填部１１ｃが形成され、糸巻２は、糸巻収納部１１ａ内に、環状の糸巻ホルダ１５によって保持されている。
【００２４】
カバー１２におけるケース本体１１との対向面には、ゴム状弾性材料からなるガスケット１２ａが一体に設けられており、カバー１２におけるヒンジ１ａと反対側の端部には、止め具１４と係合可能な係合突起１２ｂが突設されている。そして、ケース本体１１とカバー１２を、ヒンジ１ａを介して互いに折り畳むことによりケース１を閉じて、係合突起１２ｂを止め具１４で係止した状態では、カバー１２に設けられたガスケット１２ａが、ケース本体１１の外周部に密接して、糸巻収納部１１ａ、墨汁吸収体収納部１１ｂ、及びカセット装填部１１ｃの外側をシールするようになっている。
【００２５】
糸巻２は、図５に示されるように、外周に糸３を巻回する糸巻本体２１と、この糸巻本体２１内に収納されて糸巻２を糸３の巻き取り回転方向に付勢する巻き取りばね２２と、ケース本体１１の外側に配置された巻き取りハンドル２３とからなる。巻き取りハンドル２３は円盤状を呈するものであって、手指で回転操作するための複数の指掛け凹部２３ａが形成されており、また、巻き取りハンドル２３の軸心部は、ケース本体１１に開設された軸孔に挿通され、糸巻本体２１の軸心部に、ビス２４を介して結合されており、前記軸孔と糸巻２の中心軸部との間は、ゴム状弾性材料からなるＯリング２５で密封されている。そしてこれらの部材からなる糸巻２は、糸巻ホルダ１５を取り外し、ビス２４を外すことによって、ケース本体１１の糸巻収納部１１ａから取り出すことができる。
【００２６】
ばねチャージ部４は、糸巻２の糸巻本体２１の内周に同心的かつ相対回転可能な状態に組み込まれたばね芯４１と、糸巻ホルダ１５の内周に回転自在に支持されると共にばね芯４１の端部４１ａに円周方向に係合された円盤状のチャージハンドル４２とを備え、糸巻２の糸巻本体２１に収納された巻き取りばね２２は、外周側の端部が糸巻本体２１に固定されると共に、内周側の端部がばね芯４１に固定されている。したがって、巻き取りばね２２は、糸巻２とばね芯４１の相対回転によって蓄勢又は弛緩するものである。
【００２７】
図７に示されるように、チャージハンドル４２の外周面は爪車状に形成されていて、すなわち図７における反時計方向へ向けて深くなる斜面とその最深部から立ち上がる係止面とからなる係合凹部４２ａが、円周方向等間隔で形成されている。一方、糸巻ホルダ１５の内周には、反時計方向へ向けて円弧状に延び、先端内周に前記係合凹部４２ａと掛合されるラチェット爪４３が形成されている。そして、この爪車状のチャージハンドル４２（係合凹部４２ａ）とラチェット爪４３によって、チャージハンドル４２及びこれと円周方向に係合したばね芯４１に対して、巻き取りばね２２の蓄勢方向への回転（前記反時計方向への回転）のみを許容するラチェットを構成している。
【００２８】
墨汁吸収体５はスポンジ、綿（わた）あるいはフェルトなどからなるものである。糸巻２における糸巻本体２１に巻回された糸３は、墨汁吸収体収納部１１ｂを通って、この墨汁吸収体収納部１１ｂ内の墨汁吸収体５と接触しながら、糸繰り出し口１３からケース１の外部へ導出されるようになっている。
【００２９】
カセットボトル６は、図５、図６及び図８に示されるように、円筒状の抽出口６１ａを有する合成樹脂製のボトル本体６１と、前記抽出口６１ａに着脱可能に嵌着されたゴム状弾性材料製の吐出ノズル６２とからなる。ボトル本体６１は、ケース本体１１におけるカセット装填部１１ｃに嵌合状態に装填される略直方体状に形成されていて、その上面には、ドーム状の膨出部６１ｂが形成されており、この膨出部６１ｂは、手指で加圧することによって容易に凹み、かつ所要の弾性復元力を有する。また、このカセットボトル６は、カセット装填部１１ｃに装填された状態では、吐出ノズル６２が、糸巻２の糸巻本体２１の外周面と対向するようになっている。
【００３０】
図５に示されるように、ケース本体１１には、カセット装填部１１ｃに装填されたカセットボトル６の吐出ノズル６２と当接される支持突起１１ｄが突設される一方、カバー１２には、前記支持突起１１ｄと対応する位置に押圧突起１２ｃが突設されている。そして、ケース本体１１とカバー１２を、ヒンジ１ａを介して互いに折り畳むことによりケース１を閉じて、係合突起１２ｂを止め具１４で係止した状態では、カセットボトル６の吐出ノズル６２は支持突起１１ｄと押圧突起１２ｃの間で挟圧されることにより、墨汁吐出口６２ａ（図８参照）がつぶれて閉塞されるようになっている。
【００３１】
糸３の先端に繋着されたかるこ７は、ケース１の糸繰り出し口１３に半挿入状態に係止することができる。
【００３２】
かるこ７は、図１に示されるように、合成樹脂製の柄７１と、この柄７１にインサート成形によって基部が埋設状態に固定された金属製の針７２と、柄７１に対して着脱可能に設けられると共に針７２の外周を包囲するように配置された合成樹脂製の保護材７３とからなり、糸３を完全に糸巻本体２１に巻き取った状態において、保護材７３及びその内周の針７２が、糸繰り出し口１３に挿入された状態に係止されるようになっている。なお、保護材７３は、針７２が作業者の手などに突き刺さるといった危険性を最小限に抑えるためのもので、針７２の長手方向に対して伸縮自在なばね部７３ａと、その先端に形成されると共に不図示の金属環が一体的に設けられた押え環７３ｂからなり、糸３の先端３ａは、保護材７３の内周を通って柄７１に繋着されている。
【００３３】
上述の構成を備える墨壷を用いて線引きを行う場合は、まず糸巻２の糸巻本体２１に巻装された糸３に、適量の墨汁を供給し、付着させておく。この墨汁供給を行うには、ケース本体１１に設けられた止め具１４をカバー１２の係合突起１２ｂから外して、図６に示されるようにケース１を開き（カバー１２をケース本体１１から開き）、カセットボトル６におけるボトル本体６１のドーム状膨出部６１ｂを手指で押せば良い。
【００３４】
すなわち、ケース１を開くことによって、支持突起１１ｄと押圧突起１２ｃによる吐出ノズル６２の挟圧が解除され、墨汁吐出口６２ａが開放されるので、膨出部６１ｂを手指で押すことにより、ボトル本体６１内の墨汁が吐出ノズル６２から吐出される。このとき、実質的には膨出部６１ｂのみが凹むので、墨汁の吐出量の調整が容易である。吐出された墨汁は、糸巻本体２１に幾重にも巻装された糸３へ直接供給され、毛細管現象によってこの糸３の全体に行きわたる。
【００３５】
なお、上述の墨汁供給の際には、吐出ノズル６２を糸巻本体２１の真上に位置させ、糸巻本体２１に巻かれた糸３へ、その上側から墨汁を吐出することが望ましい。
【００３６】
墨汁供給後は、ケース１を折り畳んで（閉じて）、カバー１２の係合突起１２ｂを止め具１４で係止する。この状態ではケース本体１１とカバー１２の間がガスケット１２ａによって密封され、ケース本体１１と糸巻２の中心軸部との間もＯリング２５で密封されているので、ケース１内からの墨汁の漏れが防止される。また、カセットボトル６の吐出ノズル６２も、支持突起１１ｄと押圧突起１２ｃの間で挟圧されて墨汁吐出口６２ａが閉塞されるので、ボトル本体６１内の墨汁が、振動などによって不用意に吐出されることはない。
【００３７】
次に、図９に示されるように、かるこ７の針７２を、相手材（木材）Ｗの表面における線引きの一方の起点に刺し込む。このとき、針７２が相手材Ｗに刺し込まれるのに伴って保護材７３のばね部７３ａが圧縮され、その圧縮反力によって、保護材７３の先端の押え環７３ｂが、糸３を相手材Ｗに押し付ける。押え環７３ｂは、不図示の金属環が一体的に設けられているので、糸３との摩擦による押え環７３ｂの合成樹脂部分の摩耗を防止することができ、保護材７３が圧縮される際に針７２が押え環７３ｂに刺さってしまうのを防止することができる。
【００３８】
次に、ケース１を線引きの他方の起点へ向けて移動させると、ケース１内の糸巻２の回転を伴いながら、その糸巻本体２１に巻かれた糸３が、ケース１の移動距離分だけ繰り出されて行く。この糸３は、墨汁吸収体収納部１１ｂを通って繰り出される過程で、この墨汁吸収体収納部１１ｂ内の墨汁吸収体５に摺接するので、糸３に付着した墨汁のムラが均され、均一に墨汁が付着した状態となる。また、糸巻本体２１に巻かれた糸３に墨汁を直接供給し、その付着状態を、糸巻２からの糸３の引き出し過程で、この墨汁吸収体５に摺接することによって均すものであるため、新品における最初の使用時であっても、糸３の引き出し及び巻き戻しを何度か繰り返すことによって墨汁を付着させる作業は不要である。
【００３９】
また、糸３の繰り出しに伴って、糸巻本体２１が糸３の繰り出し方向へ回転されるのに対し、同方向へのばね芯４１の回転は、爪車状のチャージハンドル４２（係合凹部４２ａ）と、糸巻ホルダ１５に形成されたラチェット爪４３の掛合によって阻止されるので、巻き取りばね２２が糸巻本体２１の回転に伴ってばね芯４１に巻き込まれ、蓄勢されて行く。
【００４０】
ケース１を線引きの他方の起点まで移動させたら、このケース１の糸繰り出し口１３の先端で糸３を相手材Ｗに押止することによって、糸３をかるこ７との間に張設し、この糸３を、相手材Ｗの表面に向けて指ではじいて打ち付けることによって、直線状の墨線を転写することができる。このとき、糸３には墨汁が過不足なく均一に付着しているので、必要以上に太く、あるいは、薄く斑らな線になったりせず、明瞭な線引き線を得ることができる。
【００４１】
線引き作業終了後は、かるこ７を相手材Ｗから引き抜けば、糸３の繰り出し過程で蓄勢された巻き取りばね２２の弛緩動作によって、糸巻２が巻き取り方向に回転するため、糸３は、かるこ７が糸繰り出し口１３に半収納状態に係止されるまで、糸巻本体２１に自動的に巻き取られる。このとき、かるこ７の針７２が相手材Ｗから抜けた時点で直ちに、それまで圧縮されていた保護材７３のばね部７３ａが復元動作してその先端の押え環７３ｂが針７２の尖端近傍まで移動し、保護材７３からの針７２の突出長さが制限されるので、かるこ７が糸巻２への糸３の巻き取りによって作業者へ向けて移動して来るのに伴う危険性を軽微に抑えることができる。
【００４２】
なお、ケース１を開いてカセットボトル６の膨出部６１ｂを手指で押すことによる墨汁供給作業は、相手材Ｗへ転写される墨線の濃度を考慮して、必要に応じて行えば良い。そして、カセットボトル６内の墨汁を使いきったら、ケース１を開いて、空のカセットボトル６をケース本体１１のカセット装填部１１ｃから取り外し、更にボトル本体６１から吐出ノズル６２を取り外して、抽出口６１ａからボトル本体６１へ、不図示の墨汁容器の墨汁を充填し、抽出口６１ａに再び吐出ノズル６２を取り付けた状態で、カセット装填部１１ｃへ装填すれば良い。
【００４３】
また、予め墨汁が充填された状態で提供される新しいカセットボトル６と交換するようにしても良い。この場合は、例えば吐出ノズル６２の先端が閉塞していると共に、手指で容易に破断可能な溝などを有する形状としておき、カセット装填部１１ｃへの装填時に、先端部分を破断することにより吐出ノズル６２を開口させるようにしても良い。このようにすれば、墨汁を補充する場合のように、墨汁を入れ過ぎて墨汁が溢れて、ケースや手指を汚してしまうようなことはない。
【００４４】
図１０は、本発明に係る墨壷の好ましい他の形態を示す要部断面図、図１１は同じく要部斜視図である。
【００４５】
すなわち、この形態においては、カセットボトル６のボトル本体６１がボトル状に成形されており、不図示のケース本体におけるカセット装填部に、このカセット装填部に立設された互いに平行な一対の挟持板１６，１６に胴部６１ｃが挟持された状態で、着脱可能に装填されるようになっている。一方、図１０に示されるように、ゴム状弾性材料で成形された吐出ノズル６２は、キャップ状基部６２ｂがノズル支持部材１７によって前記ケース本体に固定されており、墨汁吐出口６２ａが糸巻本体２１の外周へ向けて延びている。そして、挟持板１６，１６間に装填されるボトル本体６１の円筒状の抽出口６１ａが、前記キャップ状基部６２ｂの内周に密嵌されるようになっている。
【００４６】
挟持板１６，１６は、ボトル本体６１の保持手段であると共に、ボトル本体６１の胴部６１ｃを手指で押す際の加圧量を制限するストッパとして機能するものである。詳しくは、挟持板１６，１６の上面は緩やかな凹み１６ａ，１６ａをなしており、この凹み１６ａ，１６ａの高さｈは、装填されたボトル本体６１の胴部６１ｃの直径よりも僅かに小さいものとなっている。
【００４７】
図１１に示されるように、ボトル本体６１における抽出口６１ａの先端外周面にはネジ溝が形成されており、挟持板１６，１６への未装填状態では、ボトル本体６１の抽出口６１ａが、前記ネジ溝に螺合されるキャップ６３によって密栓されている。したがって、ボトル本体６１の装填に際しては、キャップ６３は取り外される。
【００４８】
なお、その他の部分は、基本的には、先に説明した形態のものと同様に構成することができる。
【００４９】
この形態においても同様に、糸巻２の糸巻本体２１に巻装された糸３に、予め適量の墨汁を供給し、付着させておく。この場合はまずケースを開き、カセットボトル６におけるボトル本体６１の胴部６１ｃを手指で押せば良い。すなわち、ケースを開くことによって、支持突起１１ｄと押圧突起１２ｃによる吐出ノズル６２の挟圧が解除されて、墨汁吐出口６２ａが開放されるので、ボトル本体６１の胴部６１ｃを手指で押すことにより、ボトル本体６１内の墨汁が吐出ノズル６２から吐出される。このとき、手指による胴部６１ｃの加圧は挟持板１６，１６の上面によって制限されるので、大量の墨汁が吐出されるのを防止することができ、吐出量の調整が容易である。吐出された墨汁は、糸巻本体２１に幾重にも巻装された糸３へ供給され、毛細管現象によってこの糸３の全体に行きわたる。
【００５０】
そして、カセットボトル６内の墨汁を使いきったら、ケースを開いて、空のカセットボトル６をカセット装填部の挟持板１６，１６間から取り外し、新しいカセットボトル６と交換すれば良い。したがって、ケースに形成された墨汁タンクへ墨汁を補充する場合のように、墨汁を入れ過ぎて墨汁が溢れて、ケースや手指を汚してしまうようなことはない。
【００５１】
なお、上述した実施の形態では、ケース１が携帯電話状の外観を呈するものとなっているが、本発明は、このような構造に限定されるものではない。また、カセットボトル６内に充填された墨汁は、先に説明したように、本来の墨汁に限らず、インクや塗料など、他の着色液体であっても良い。
【００５２】
また、上述した実施の形態においては、カセットボトルとして、加圧により墨汁を吐出するポンプ手段を有するものを採用することができる。ポンプ手段としては、例えば押圧片を手指で押すことによって空圧シリンダ内のピストンの移動でボトル内を加圧し、この加圧によって、ボトルに充填された墨汁を、ボトル内に挿入されたパイプを介してノズルへ送り、糸巻に巻装された糸へ墨汁を吐出するものが考えられる。
【００５３】
あるいは、ポンプ手段の他の例としてはベルヌーイの定理を利用したもの、例えば香水噴霧器のように、手指で押すことによって加圧されて圧縮空気を噴射する空気ポンプと、その空気流による圧力低下によって、ボトル内に挿入されたパイプを介して墨汁を吸い上げ、スプレーノズルから、前記圧縮空気と共にミスト状の墨汁を糸巻に巻装された糸へ噴射するものが考えられる。
【００５４】
いずれの場合も、機構上、ピストンの移動量や空気ポンプの圧縮変形量が制限されているため、糸巻に巻装された糸へ、所望の量の墨汁を供給することが可能で、しかも、押圧片によりボトル内を加圧するか、空気ポンプを加圧しない限り、墨汁がケース内へ不用意に漏出するようなことがない。
【符号の説明】
【００５５】
１  ケース
１１  ケース本体
１１ｂ  墨汁吸収体収納部（引き出し・巻き戻し経路）
１１ｃ  カセット装填部
１１ｄ  支持突起（開閉手段）
１２  カバー
１２ｃ  押圧突起（開閉手段）
１３  糸繰り出し口
１４  止め具
１５  糸巻ホルダ
１６  挟持板（加圧制限手段）
２  糸巻
３  糸
４  ばねチャージ部
５  墨汁吸収体
６  カセットボトル
６１  ボトル本体
６１ｂ  膨出部
６２  吐出ノズル
６２ａ  墨汁吐出口
７  かるこ（糸止着具）
【図１】
0005301646.tif 000002
【図２】
0005301646.tif 000003
【図３】
0005301646.tif 000004
【図４】
0005301646.tif 000005
【図５】
0005301646.tif 000006
【図６】
0005301646.tif 000007
【図７】
0005301646.tif 000008
【図８】
0005301646.tif 000009
【図９】
0005301646.tif 000010
【図１０】
0005301646.tif 000011
【図１１】
0005301646.tif 000012